(57)【要約】【課題】オーディオ信号のフォーマットが変化しても、その変化に対応して最適な音場効果を付与する音響処理に切り替えるとともに、その切り替え時の違和感が少ないオーディオ信号処理装置を提供すること。【解決手段】本発明の実施形態に係るＡＶアンプは、それぞれのフォーマットに対応した音場効果を与える音響処理を並行して行うとともに、入力されるオーディオ信号Ｓａｉｎのフォーマットが切り替わったタイミングを特定して、そのタイミングからＴ１経過後に切替部において出力すべきオーディオ信号への切り替えを予約する。したがって、フォーマットに対応した音場効果が付与されたオーディオを適切なタイミングで出力するように切り替えることができるとともに、その切り替え時のオーディオのミュート時間を非常に短く、または無くすことができるから、聴取時の違和感を低減することができる。【選択図】図２
2010098460.tif 000002
【特許請求の範囲】
【請求項１】
第１のフォーマットまたは第２のフォーマットのオーディオ信号を取得するオーディオ取得手段と、
前記オーディオ取得手段によって取得されたオーディオ信号のフォーマットが前記第１のフォーマットであるか前記第２のフォーマットであるかを解析し、当該オーディオ信号のフォーマットおよびフォーマットが切り替わった切替タイミングを特定する特定手段と、
前記オーディオ信号が入力され、当該オーディオ信号に対して前記第１のフォーマットに対応して設定される音響処理を施して出力する第１の音響処理手段と、
前記第１の音響処理手段に入力される前記オーディオ信号が入力され、当該オーディオ信号に対して前記第２のフォーマットに対応して設定される音響処理を施して出力する第２の音響処理手段と、
切替信号に応じて、前記第１の音響処理手段から出力されるオーディオ信号と前記第２の音響処理手段から出力されるオーディオ信号とを切り替えて出力する切替手段と、
前記切替手段に前記切替信号を出力することにより、前記特定手段によって特定された切替タイミングから予め設定された待機時間が経過した後に、前記切替手段から出力されるオーディオ信号が、前記特定手段によって特定されたフォーマットに応じたオーディオ信号に切り替わるように制御する切替制御手段と
を具備することを特徴とするオーディオ信号処理装置。
【請求項２】
前記第１の音響処理手段および前記第２の音響処理手段におけるオーディオ信号の入力から出力までの処理時間は、前記待機時間に応じて設定されている
ことを特徴とする請求項１に記載のオーディオ信号処理装置。
【請求項３】
取得した映像信号を所定の処理時間で処理することにより表示画面に表示させる表示装置から、前記所定の処理時間を示す映像処理時間情報を取得する時間情報取得手段をさらに具備し、
前記待機時間は、前記映像処理時間情報が示す処理時間に応じて設定される
ことを特徴とする請求項１または請求項２に記載のオーディオ信号処理装置。
【請求項４】
前記オーディオ信号取得手段は、表示装置からオーディオ信号を取得する
ことを特徴とする請求項１乃至請求項３のいずれかに記載のオーディオ信号処理装置。
【発明の詳細な説明】
【技術分野】
【０００１】
本発明は、デジタル放送の視聴時において、音響処理の切り替えを違和感無く行う技術に関する。
【背景技術】
【０００２】
近年、テレビなどの表示装置にＡＶアンプなどを接続して外部スピーカから放音させることで、高音質で様々なコンテンツを楽しむことができるようになっている。このようなＡＶアンプにおいては、様々な音響処理により音場効果を与えることができる。視聴者は、視聴するコンテンツに応じて、好みの音場効果に設定を変更することができるが、音場効果を切り替えるときには、音響処理を行うＤＳＰ（Digital Signal Processor）における設定、切り替え時のノイズ防止のために音声がミュートされ、視聴者に違和感を与えていた。このような、違和感の低減のため、様々な技術が提案されている（例えば、特許文献１）。
【特許文献１】特開２００８−７８８７９号公報
【発明の開示】
【発明が解決しようとする課題】
【０００３】
ところで、デジタル放送などにおいては、音声部分のオーディオ信号を構成するチャンネル数は、コンテンツに応じて、様々に変化する。例えば、映画においては、チャンネル数は例えば５．１ｃｈであり、その間に挿入されるコマーシャルにおいては、２ｃｈとなり、時刻の進行とともに変化していく。一方、このチャンネル数によって最適な音場効果を与える音響処理は異なってくるため、例えば、映画からコマーシャルに変わったときに、視聴者が音場効果を切り替える指示を出さなければ、２ｃｈのオーディオ信号に、５．１ｃｈ用の音響処理がなされ、コマーシャル視聴時の音場効果については違和感が残るものであった。
【０００４】
また、視聴者が音場効果を切り替える指示を出した場合、音響処理が切り替わることになるが、特許文献１に開示されている技術を用いても、すぐに音場効果が切り替わるものではないため違和感があった。
【０００５】
本発明は、上述の事情に鑑みてなされたものであり、オーディオ信号のフォーマットが変化しても、その変化に対応して最適な音場効果を付与する音響処理に切り替えるとともに、その切り替え時の違和感が少ないオーディオ信号処理装置を提供することを目的とする。
【課題を解決するための手段】
【０００６】
上述の課題を解決するため、本発明は、第１のフォーマットまたは第２のフォーマットのオーディオ信号を取得するオーディオ取得手段と、前記オーディオ取得手段によって取得されたオーディオ信号のフォーマットが前記第１のフォーマットであるか前記第２のフォーマットであるかを解析し、当該オーディオ信号のフォーマットおよびフォーマットが切り替わった切替タイミングを特定する特定手段と、前記オーディオ信号が入力され、当該オーディオ信号に対して前記第１のフォーマットに対応して設定される音響処理を施して出力する第１の音響処理手段と、前記第１の音響処理手段に入力される前記オーディオ信号が入力され、当該オーディオ信号に対して前記第２のフォーマットに対応して設定される音響処理を施して出力する第２の音響処理手段と、切替信号に応じて、前記第１の音響処理手段から出力されるオーディオ信号と前記第２の音響処理手段から出力されるオーディオ信号とを切り替えて出力する切替手段と、前記切替手段に前記切替信号を出力することにより、前記特定手段によって特定された切替タイミングから予め設定された待機時間が経過した後に、前記切替手段から出力されるオーディオ信号が、前記特定手段によって特定されたフォーマットに応じたオーディオ信号に切り替わるように制御する切替制御手段とを具備することを特徴とするオーディオ信号処理装置を提供する。
【０００７】
また、別の好ましい態様において、前記第１の音響処理手段および前記第２の音響処理手段におけるオーディオ信号の入力から出力までの処理時間は、前記待機時間に応じて設定されていることを特徴とする。
【０００８】
また、別の好ましい態様において、取得した映像信号を所定の処理時間で処理することにより表示画面に表示させる表示装置から、前記所定の処理時間を示す映像処理時間情報を取得する時間情報取得手段をさらに具備し、前記待機時間は、前記映像処理時間情報が示す処理時間に応じて設定されることを特徴とする。
【０００９】
また、別の好ましい態様において、前記オーディオ信号取得手段は、表示装置からオーディオ信号を取得することを特徴とする。
【発明の効果】
【００１０】
本発明によれば、オーディオ信号のフォーマットが変化しても、その変化に対応して最適な音場効果を付与する音響処理に切り替えるとともに、その切り替え時の違和感が少ないオーディオ信号処理装置を提供することができる。
【発明を実施するための最良の形態】
【００１１】
以下、本発明の一実施形態について説明する。
【００１２】
＜実施形態＞
図１は、本発明の実施形態に係るＡＶシステム１の構成についてのブロック図である。図１に示すように、ＡＶシステム１は、テレビ装置１０およびＡＶアンプ２０を有している。テレビ装置１０とＡＶアンプ２０とは、例えば、ＨＤＭＩ（登録商標）ケーブルなどの通信ケーブルにより接続されている。以下、テレビ装置１０およびＡＶアンプ２０の構成について説明する。
【００１３】
テレビ装置１０は、チューナ１０１、映像処理部１０２、音声処理部１０３、通信部１０４、表示部１１０および放音部１２０を有する。チューナ１０１は、映像信号およびオーディオ信号が含まれる放送電波を受信するアンテナなどから受信信号を取得し、図示しない操作部などの操作により選択された放送局に対応する映像信号Ｓｇｉｎ、オーディオ信号Ｓａｉｎを出力する。オーディオ信号Ｓａｉｎは、ｍチャンネルまたはｎチャンネル（ｍ≠ｎ）のフォーマットになっているものとし、コンテンツの内容により随時切り替わるものになっている。この例においては、オーディオ信号Ｓａｉｎは、２ｃｈステレオまたは５．１ｃｈサラウンドのフォーマットになっているものとする。
【００１４】
映像処理部１０２は、チューナ１０１から出力された映像信号Ｓｇｉｎを取得し、映像信号Ｓｇｉｎに対してデコード処理、映像出画処理を施した表示用信号Ｓｇｏｕｔを出力する。このデコード処理および映像出画処理に要する処理時間は合計でＴ１であり、以下、映像処理時間Ｔ１という。また、映像処理部１０２は、後述する通信部１０４からの要求に応じて、映像処理時間Ｔ１を示す映像処理時間情報を通信部１０４に出力する。
【００１５】
表示部１１０は、液晶ディスプレイ、有機ＥＬディスプレイなどの表示画面を有する表示デバイスであって、映像処理部１０２から出力される表示用信号Ｓｇｏｕｔが入力され、表示用信号Ｓｇｏｕｔに応じた映像を、表示画面に表示する。表示部１１０に表示用信号Ｓｇｏｕｔが入力されてから表示画面への表示に要する時間を無視できるほど短いとすると、映像信号Ｓｇｉｎを映像処理部１０２が取得してから、表示画面に映像信号Ｓｇｉｎに係る表示がされるまでに要する時間は映像処理時間Ｔ１に相当することになる。
【００１６】
音声処理部１０３は、例えばＤＳＰなどであって、チューナ１０１から出力されたオーディオ信号Ｓａｉｎを取得し、オーディオ信号Ｓａｉｎに対してデコード処理、音響処理、遅延処理を施したオーディオ信号Ｓａｋを出力する。このデコード処理、音響処理、遅延処理の処理時間は、合計で、映像処理時間Ｔ１に相当する時間になるように設定されている。ここで、音声処理部１０３は、図示しない操作部の操作などの指示により音響処理の内容を変更するとき、例えば、付与する音場効果の種類を変更するときには、音場効果の設定、切り替え時のノイズ防止のために、一定期間音声がミュートされるようになっている。
【００１７】
また、音声処理部１０３は、後述する通信部１０４からの要求に応じて、チューナ１０１から取得したオーディオ信号Ｓａｉｎを通信部１０４に対してそのまま出力する。このとき、放音部１２０へのオーディオ信号Ｓａｋの出力は停止してもよい。なお、通信部１０４からの要求がチューナ１０１に行われるようにして、チューナ１０１から直接、オーディオ信号Ｓａｉｎが通信部１０４に出力されるようにしてもよい。なお、通信部１０４の要求によっては、音声処理部１０３においてデコード処理済みのオーディオ信号を出力するようにしてもよいが、この例においては、デコード前のオーディオ信号Ｓａｉｎが出力されるものとする。
【００１８】
放音部１２０は、Ｄ／Ａ変換器、増幅器、スピーカを有する。放音部１２０は、音声処理部１０３からオーディオ信号Ｓａｋが入力され、デジタルアナログ変換、増幅処理を行い、スピーカから放音させる。放音部１２０にオーディオ信号Ｓａｋが入力されてから放音されるまでの時間を無視できるほど短いとすると、オーディオ信号Ｓａｉｎを音声処理部１０３が取得してから、放音部１２０から放音されるまでに要する時間は映像処理時間Ｔ１に相当することになる。これにより、テレビ装置１０においては、チューナ１０１から出力された映像信号Ｓｇｉｎに係る表示と、オーディオ信号Ｓａｉｎに係る放音とのずれが起こらないようになっている。
【００１９】
通信部１０４は、ＨＤＭＩケーブルなどを接続する接続端子を有し、ＡＶアンプ２０と接続して、各種信号のやり取りを行う。この例においては、通信部１０４は、ＡＶアンプ２０からの要求に応じて、映像処理部１０２へ映像時間処理情報の出力を要求し、映像処理部１０２から出力される映像時間処理情報をＡＶアンプ２０へ送信し、また、音声処理部１０３またはチューナ１０１から出力されるオーディオ信号ＳａｉｎをＡＶアンプ２０に送信する。以上が、テレビ装置１０の構成についての説明である。
【００２０】
ＡＶアンプ２０は、オーディオ信号処理部２１、通信部２２および放音部２３を有する。通信部２２は、ＨＤＭＩケーブルなどを接続する接続端子を有し、テレビ装置１０と接続して、各種信号のやり取りを行う。この例においては、通信部２２は、テレビ装置１０に対して、映像時間処理情報の送信の要求、オーディオ信号Ｓａｉｎの送信の要求を行う。これにより、テレビ装置１０から映像時間処理情報、オーディオ信号Ｓａｉｎを受信すると、それぞれオーディオ信号処理部２１に出力する。
【００２１】
放音部２３は、Ｄ／Ａ変換器、増幅器、スピーカを有し、それぞれ複数でスピーカアレイユニットを構成するとともに、サブウーファも有し、５．１ｃｈのオーディオ信号を再生可能な環境を構成している。放音部２３は、オーディオ処理部２１から各スピーカに対応したオーディオ信号Ｓａｏｕｔが入力され、デジタルアナログ変換、増幅処理を行い、各スピーカから放音させる。これにより、放音部２３のスピーカアレイユニットからは、複数のビーム化された音が放出され、スピーカアレイユニットが設置された部屋の壁面反射を利用して利用者に到達させることにより、利用者に対して様々な音場効果を与えることができる。なお、スピーカアレイユニットからの放音により音場効果を与えるだけでなく、複数のスピーカを所定の位置に設置して、放音させるようにしてもよい。
【００２２】
オーディオ信号処理部２１は、例えばＤＳＰなどであって、通信部２２から入力されるオーディオ信号Ｓａｉｎに所定の音響処理を施して、オーディオ信号Ｓａｏｕｔとして出力する。以下、オーディオ信号処理部２１の構成について説明する。
【００２３】
解析部２０１は、オーディオ信号処理装置２１に入力されるオーディオ信号Ｓａｉｎを取得し、フォーマットを解析して、このオーディオ信号Ｓａｉｎのチャンネル数が２ｃｈであるか５．１ｃｈであるかを特定してから出力する。また、解析部２０１は、オーディオ信号Ｓａｉｎのチャンネル数が２ｃｈか５．１ｃｈかを特定すると、特定したチャンネル数を示す特定信号Ｓｐを出力する。この解析を行ってから特定信号Ｓｐを出力するまでに要する処理時間は、Ｔ２である。すなわち、特定信号Ｓｐが出力されるよりもＴ２だけ前のタイミングに、解析部２０１に入力されたオーディオ信号Ｓａｉｎのチャンネル数が変わったことになる。
【００２４】
デコーダＡ２０２ａは、解析部２０１から出力されるオーディオ信号Ｓａｉｎにデコード処理を行ったオーディオ信号ＳＡ１を出力する。このデコード処理は、チャンネル数が５．１ｃｈに対応したものである。このデコード処理に要する処理時間は、Ｔ３ａである。デコーダＢ２０２ｂは、解析部２０１から出力されるオーディオ信号Ｓａｉｎにデコード処理を行ったオーディオ信号ＳＢ１を出力する。デコーダＢ２０２ｂにおけるデコード処理は、チャンネル数が２ｃｈに対応したものである。このデコード処理に要する処理時間は、Ｔ３ｂである。
【００２５】
音響処理部Ａ２０３ａは、デコーダＡ２０２ａから出力されるオーディオ信号ＳＡ１に対して、設定された音場効果に応じた音響処理（サラウンド音響処理）を施して、オーディオ信号ＳＡ２として出力する。音響処理が施されたオーディオ信号ＳＡ２は、放音部２３の各スピーカに対応した数のチャンネル数で構成され、放音部２３の各スピーカから放音すると、ビーム化された音が放出されるようになっている。音響処理部Ｂ２０３ｂは、デコーダＢ２０２ｂからオーディオ信号ＳＢ１が入力され、音響処理（ステレオ音響処理）を施して、オーディオ信号ＳＢ２を出力すること以外は、音響処理部Ａ２０３ａと同様であるので、説明を省略する。音響処理部Ａ２０３ａ、音響処理部Ｂ２０３ｂのそれぞれに設定される音場効果については、図示しない操作部を利用者が操作することにより指定されるようにすればよい。音響処理部Ａ２０３ａ、音響処理部Ｂ２０３ｂにおける音響処理に要する処理時間は、それぞれＴ４ａ、Ｔ４ｂである。
【００２６】
遅延部Ａ２０４ａは、音響処理部Ａ２０３ａから出力されるオーディオ信号ＳＡ２を、制御部２０６から設定される時間（以下、遅延時間Ｔ５ａという）だけ遅延させて出力する。遅延部Ｂ２０４ｂは、音響処理部Ｂ２０３ｂから出力されるオーディオ信号ＳＢ２を、制御部２０６から設定される時間（以下、遅延時間Ｔ５ｂという）だけ遅延させて出力する。
【００２７】
切替部２０５は、遅延部Ａ２０４ａから出力されるオーディオ信号ＳＡ２と、遅延部Ｂ２０４ｂから出力されるオーディオ信号ＳＢ２とを、後述するようにして制御部２０６から出力される切替信号Ｓｗに応じて切り替えて、オーディオ信号Ｓｏｕｔとして放音部２３に出力する。具体的には、切替部２０５は、切替信号Ｓｗが５．１ｃｈを示す場合には、オーディオ信号ＳＡ２をオーディオ信号Ｓｏｕｔとして出力し、２ｃｈを示す場合には、オーディオ信号ＳＢ２をオーディオ信号Ｓｏｕｔとして出力する。
【００２８】
また、切替部２０５は、出力するオーディオ信号を切り替えるときには、切り替えノイズを出さないようにするため、一定時間Ｔ６、出力を停止してミュートを行う。このミュート時間Ｔ６は、出力の切り替えだけであるから、従来のようにＤＳＰの設定、切り替えを行うために要するミュート時間より、非常に短くすることができる。なお、視聴時に違和感が少なければ、切替部２０５におけるミュートは必ずしも必要ではない。また、クロスフェードなどの処理を行って切り替えてもよい。
【００２９】
制御部２０６は、通信部２２から映像処理時間情報を取得して、映像処理時間Ｔ１を認識する。また、制御部２０６は、オーディオ信号処理部２１内における各処理時間Ｔ２、Ｔ３ａ、Ｔ３ｂ、Ｔ４ａ、Ｔ４ｂについては、予め認識しているものとする。そして、制御部２０６は、遅延部Ａ２０４ａに遅延時間Ｔ５ａ（＝Ｔ１−Ｔ２−Ｔ３ａ−Ｔ４ａ）を設定し、遅延部Ｂ２０４ｂに遅延時間Ｔ５ｂ（＝Ｔ１−Ｔ２−Ｔ３ｂ−Ｔ４ｂ）を設定する。
【００３０】
また、制御部２０６は、解析部２０１から出力される特定信号Ｓｐを取得し、Ｔ１−Ｔ２経過するまで待機した後、すなわち解析部２０１に入力されるオーディオ信号Ｓａｉｎのフォーマットが切り替わったタイミングからＴ１経過したタイミングに、切替信号Ｓｗを切替部２０５に出力する。この切替信号Ｓｗは、取得した特定信号Ｓｐが示すチャンネル数（５．１ｃｈまたは２ｃｈ）を示すものとして出力される。なお、チューナ１０１からオーディオ信号Ｓａｉｎが出力されてから解析部２０１に入力されるまでの時間が全体の処理時間に比べて無視できるほど短いものでない場合は、その時間について、上記Ｔ２に予め加算したものとして扱えばよい。
【００３１】
図２は、映像信号Ｓｇｉｎおよびオーディオ信号Ｓａｉｎがチューナ１０１から出力されてから、表示用信号Ｓｇｏｕｔ、オーディオ信号Ｓａｏｕｔとして出力されるまでのＴ１、Ｔ２、Ｔ３ａ、Ｔ３ｂ、Ｔ４ａ、Ｔ４ｂ、Ｔ５ａ、Ｔ５ｂについての関係を示す説明図である。上述のように、制御部２０６によりＴ５ａ、Ｔ５ｂが設定され、また、切替信号Ｓｗの出力タイミングが制御されることにより、Ｔ１＝Ｔ２＋Ｔ３ａ＋Ｔ４ａ＋Ｔ５ａ（＝Ｔ２＋Ｔ３ｂ＋Ｔ４ｂ＋Ｔ５ｂ）となり、チューナ１０１から出力された映像信号Ｓｇｉｎとオーディオ信号Ｓａｉｎとの同期状態を維持したまま、表示、放音をさせることができる。なお、「Ｔ２＋Ｔ３ａ＋Ｔ４ａ＋Ｔ５ａ」と「Ｔ２＋Ｔ３ｂ＋Ｔ４ｂ＋Ｔ５ｂ」とは、ともにＴ１となり同一の時間であるが、聴取上違和感の無い程度のずれは許容され実質的に同一であればよい。また、Ｔ２、Ｔ３ａ、Ｔ３ｂ、Ｔ４ａ、Ｔ４ｂについて、各処理内容によりその時間がリアルタイムに変動する場合には、制御部２０６は、この変動を認識して、Ｔ５ａ、Ｔ５ｂの設定を調整するようにしてもよい。
【００３２】
次に、ＡＶシステム１の動作、特にＡＶアンプ２０の動作について図３を用いて説明する。図３（ａ）は、制御部２０６における動作を示すフローチャートであり、図３（ｂ）は、図３（ａ）における切替信号出力処理（ステップＳ３０）の内容を示すフローチャートである。まず、利用者が、ＡＶアンプ２０の図示しない操作部に対して、所定の操作（例えば、ＡＶアンプから放音させる指示）を行うと、通信部２２は、テレビ装置１０に対して、映像処理時間情報およびオーディオ信号Ｓａｉｎの送信要求を行う。要求に応じてテレビ装置１０からＡＶアンプ２０に対して、映像処理時間情報およびオーディオ信号Ｓａｉｎが送信されると、制御部２０６は、映像処理時間情報を取得（ステップＳ１０）することにより映像処理時間Ｔ１を認識し、遅延部Ａ２０４ａおよび遅延部Ｂ２０４ｂに対して、遅延時間Ｔ５ａ、Ｔ５ｂを設定する（ステップＳ２０）。そして、制御部２０６は、以下に示す切替信号出力処理（ステップＳ３０）を続ける。
【００３３】
切替信号出力処理（ステップＳ３０）において、制御部２０６は、特定信号Ｓｐが解析部２０１から入力されることの判定を続ける（ステップＳ３１０）。解析部２０１から特定信号Ｓｐが入力されると（ステップＳ３１０；Ｙｅｓ）、その後Ｔ１−Ｔ２が経過するまで待機した後（ステップＳ３２０）、切替信号Ｓｗを出力する（ステップＳ３３０）。なお、ステップＳ３２０、Ｓ３３０の間も、ステップＳ３１０における判定が続いて行われるものとする。以下、出力切替処理の具体的な一例を説明する。
【００３４】
解析部２０１は、オーディオ信号Ｓａｉｎが入力されると、まずフォーマットを解析し、特定したフォーマット（この例においては、５．１ｃｈとする）を示す特定信号Ｓｐを出力する。これにより、制御部２０６は、切替部２０５に切替信号Ｓｗを出力する。このように最初に出力される切替信号Ｓｗは、上述したタイミングでの出力でなくてもよく、特定信号Ｓｐの取得後、直ちに行なってもよい。そして、切替部２０５は、５．１ｃｈに対応して音響処理が施されたオーディオ信号ＳＡ２をオーディオ信号Ｓｏｕｔとして放音部２３に出力して放音させる。
【００３５】
その後、オーディオ信号Ｓａｉｎのフォーマットが２ｃｈに変わると、変わってからＴ２経過後に解析部２０１から特定信号Ｓｐが出力される。そして、制御部２０６は、さらにＴ１−Ｔ２経過後に切替信号Ｓｗを出力すると、切替部２０５は、２ｃｈに対応して音響処理が施されたオーディオ信号ＳＢ２をオーディオ信号Ｓｏｕｔとして放音部２３に出力して放音させる。このとき、ミュート時間Ｔ６だけ音がミュートされる。したがって、この例においては、２ｃｈに変わった最初の部分がミュートされることになる。なお、制御部２０６が切替信号Ｓｗを出力するタイミングを、特定信号Ｓｐが出力されてからＴ１−Ｔ２−Ｔ６経過後として、２ｃｈに変わる直前部分（５．１ｃｈの最後の部分）がミュートされるようにしてもよい。
【００３６】
このように、本発明の実施形態に係るＡＶシステム１は、ＡＶアンプ２０において、映像処理時間Ｔ１を予め認識しておくことで、映像とオーディオとを同期させることができるとともに、オーディオ信号Ｓａｉｎのフォーマットが変わっても、利用者は、それぞれのフォーマットに対応した音場効果で聴取することができる。また、ＡＶアンプ２０は、それぞれのフォーマットに対応した音場効果を与える音響処理を並行して行うとともに、入力されるオーディオ信号Ｓａｉｎのフォーマットが切り替わったタイミングを特定して、そのタイミングからＴ１経過後に切替部２０５において出力すべきオーディオ信号への切り替えを予約する。したがって、オーディオ信号Ｓａｉｎのフォーマットの切り替わりに対応したタイミングで、そのフォーマットに対応した音場効果が付与されたオーディオを出力するように切り替えることができるとともに、その切り替え時のオーディオのミュート時間を非常に短く、または無くすことができるから、聴取時の違和感を低減することができる。
【００３７】
以上、本発明の実施形態について説明したが、本発明は以下のように、さまざまな態様で実施可能である。
【００３８】
＜変形例１＞
上述した実施形態においては、ＡＶアンプ２０は、通信部２２において受信したオーディオ信号Ｓａｉｎについて、解析部２０１を介して、デコーダＡ２０２ａ、デコーダＢ２０２ｂに入力されていたが、図４に示すように、通信部２２からデコーダＡ２０２ａ、デコーダＢ２０２ｂに入力されるようにしたＡＶアンプ２０Ａとしてもよい。この場合、通信部２２から出力されるオーディオ信号Ｓａｉｎは、解析部２０１Ａ、デコーダＡ２０２ａおよびデコーダＢ２０２ｂにおいて取得される。解析部２０１Ａからオーディオ信号Ｓａｉｎが出力されないこと以外は、それぞれ実施形態における処理と同様であるので、説明を省略する。
【００３９】
このようにすると、実施形態における映像処理時間がＴ１より短いＴ１’であるテレビ装置１０と接続した場合においても対応可能とすることができる。例えば、Ｔ１’が実施形態におけるＴ２＋Ｔ３ａ＋Ｔ４ａより短い時間となると、遅延部Ａ２０４ａに設定される遅延時間Ｔ５ａを「０」としても、放音部２３からの放音されるオーディオが、表示部１１０に表示される映像よりも遅れることになる。本変形例のＡＶアンプ２０Ａのように、デコード処理と解析処理を並行して行うことにより、より短い映像処理時間まで対応することができる。
【００４０】
図５は、本変形例において、映像信号Ｓｇｉｎおよびオーディオ信号Ｓａｉｎがチューナ１０１から出力されてから、表示用信号Ｓｇｏｕｔ、オーディオ信号Ｓａｏｕｔとして出力されるまでのＴ１’、Ｔ２、Ｔ３ａ、Ｔ３ｂ、Ｔ４ａ、Ｔ４ｂ、Ｔ５ａ’、Ｔ５ｂ’についての関係を示す説明図である。この図に示されるように、本変形例の構成においては、遅延部Ａ２０４ａ、遅延部Ｂ２０４ｂに設定される遅延時間Ｔ５ａ’、Ｔ５ｂ’については、それぞれ、Ｔ１’−Ｔ３ａ＋Ｔ４ａ、Ｔ１’−Ｔ３ｂ＋Ｔ４ｂとなる。また、制御部２０６は、解析部２０１Ａから特定信号Ｓｐが出力されたタイミングからＴ１’−Ｔ２が経過した後に、切替信号Ｓｗを出力する。
【００４１】
＜変形例２＞
上述した実施形態においては、オーディオ信号Ｓａｉｎのフォーマットは、２種類であったが、さらに多くの種類であってもよく、その場合には、オーディオ信号処理部２１におけるデコーダ、音響処理部、遅延部の組をフォーマットの種類に応じて増加させればよい。
【００４２】
＜変形例３＞
上述した実施形態においては、ＡＶシステム１として、テレビ装置１０とＡＶアンプ２０については、別体の装置であったが、一体の装置であってもよい。この場合には、テレビ装置１０における音声処理部１０３の構成を、ＡＶアンプ２０におけるオーディオ信号処理部２１の構成に置き換えるようにすればよい。ここで、制御部２０６と映像処理部１０２とは、同装置内に設けられることになるから、予め制御部２０６において映像処理時間Ｔ１を認識しておくようにすれば、制御部２０６は映像処理時間情報を取得する必要は無い。
【００４３】
＜変形例４＞
上述した実施形態において、チューナ１０１がテレビ装置１０の外部のＳＴＢ（Set-top box）などに設けられる場合には、テレビ装置１０は、無線通信などによって映像信号Ｓｇｉｎおよびオーディオ信号Ｓａｉｎを取得する一方、ＡＶアンプ２０は、外部に設けられたチューナ１０１から直接オーディオ信号Ｓａｉｎを取得するようにしてもよい。
【００４４】
この場合には、ＳＴＢからテレビ装置１０に受信させるまでの通信遅延が発生するため、ＡＶアンプ２０の制御部２０６においては、映像処理時間情報により認識する映像処理時間Ｔ１に、その通信遅延時間を加算したものとして扱えばよい。この通信遅延時間は、図示しない操作部の操作により通信遅延時間を入力することによって制御部２０６に設定しておいてもよいし、予め設定されるものとしてもよい。
【００４５】
＜変形例５＞
上述した実施形態において、ＡＶアンプ２０は、それぞれのフォーマットに対応した音場効果を与える音響処理を並行して行っていたが、切替部２０５から出力されるオーディオ信号Ｓａｏｕｔとして採用されていないオーディオ信号ＳＡ２またはオーディオ信号ＳＢ２の処理経路における音響処理の各部構成については、一時的に動作を停止させるようにしてもよい。例えば、オーディオ信号Ｓａｉｎのフォーマットが５．１ｃｈであり、オーディオ信号ＳＡ２がオーディオ信号Ｓａｏｕｔとして出力されている期間は、オーディオ信号ＳＢ２の処理経路の各部構成であるデコーダＢ２０２ｂ、音響処理部Ｂ２０３ｂ、遅延部２０４ｂの動作を、その期間の少なくとも一部で停止させればよい。
【００４６】
このような各部構成の停止の指示は、制御部２０６によって行われればよく、特定信号Ｓｐまたは切替信号Ｓｗの出力タイミングに応じて行われればよい。停止の期間は、例えば、切替信号Ｓｗの出力後における所定期間としてもよいし、特定信号Ｓｐの出力後における所定期間としてもよい。また、切替信号Ｓｗが出力されてから、特定信号Ｓｐが次に出力されるまでの期間を停止の期間としてもよい。すなわち、切替部２０５において出力されるオーディオ信号が切り替わるときに、オーディオ信号Ｓａｏｕｔとして採用されるオーディオ信号が存在しない状態にならないように、停止の期間を設定すればよい。このようにすれば、オーディオ信号Ｓａｏｕｔとして採用されていないオーディオ信号の処理経路の構成を停止させることで、省電力化をすることができる。
【図面の簡単な説明】
【００４７】
【図１】実施形態に係るＡＶシステムの構成を示すブロック図である。
【図２】実施形態に係る各処理時間の関係を示す説明図である。
【図３】実施形態に係る制御部の動作を示すフローチャートである。
【図４】変形例１に係るＡＶシステムの構成を示すブロック図である。
【図５】変形例１に係る各処理時間の関係を示す説明図である。
【符号の説明】
【００４８】
１，１Ａ…ＡＶシステム、１０…テレビ装置、１０１…チューナ、１０２…映像処理部、１０３…音声処理部、１０４…通信部、１１０…表示部、１２０…放音部、２０，２０Ａ…ＡＶアンプ、２１，２１Ａ…オーディオ信号処理部、２２…通信部、２３…放音部、２０１，２０１Ａ…解析部、２０２ａ…デコーダＡ、２０２ｂ…デコーダＢ、２０３ａ…音響処理部Ａ、２０３ｂ…音響処理部Ｂ、２０４ａ…遅延部Ａ、２０４ｂ…遅延部Ｂ、２０５…切替部、２０６…制御部
【図１】
2010098460.tif 000003
【図２】
2010098460.tif 000004
【図３】
2010098460.tif 000005
【図４】
2010098460.tif 000006
【図５】
2010098460.tif 000007